(57)【特許請求の範囲】
【請求項１】
筐体内に挿入されたディスクの位置決めを左右一対の回動自在な位置決め部材を用いて行うディスク位置決め機構を備えるディスク再生装置において、
前記左右一対の位置決め部材は、各々、
一端に、歯車部を備えるとともに、他端に、ディスクの縁部と当接する当接部を備えた同一形状のものからなり、
一方の前記位置決め部材を上下逆にして、前記歯車部同士を噛合させた状態で対称配置され、
前記歯車部には、歯形のピッチが０．５ずれることにより、前記歯車部同士を噛合させた際のずれを調整する調整部を備えていることを特徴とするディスク再生装置。
【請求項２】
前記調整部は、他の歯形間のピッチの１．５倍のピッチをもつ調整歯形部を備えていることを特徴とする請求項１記載のディスク再生装置。
【発明の詳細な説明】
【０００１】
【発明の属する技術分野】
本発明は、ディスク再生装置に関する。
【０００２】
【従来の技術】
オーディオなどに設けられているディスク再生装置は、直径８ｃｍの小ディスクと、直径１２ｃｍの大ディスクの２種類のディスクを再生可能である。この様なディスク再生装置では、どちらの大きさのディスクを挿入しても、ディスク回転用モータ上のターンテーブルに装着されるように、ディスクをほぼ中央に位置決めしなくてはならない。
【０００３】
従来、ディスク再生装置に備えられる位置決め機構には、左右一対の回動自在な位置決めアームにより、ディスクを挟むようにしてディスクの位置決めを行うものがある。
このような位置決めアームの回動機構としては、例えば、図７（ａ）に示すリンク機構や図７（ｂ）に示すギア歯機構が採用されている。
【０００４】
【発明が解決しようとする課題】
しかしながら、図７（ａ）に示すリンク機構の場合、左右の位置決めアームの形状は全く異なるので、左右別々の位置決めアームを用意する必要があったために、それぞれ異なる金型で製造しなければならず、結果としてコストが掛かっていた。
【０００５】
一方、図７（ｂ）に示すギア歯機構の場合においても、位置決めアームｂ１、ｂ２は、それぞれのギアの歯先と歯底の噛み合わせの関係から、同一形状にする事ができなかった。というのは、仮に、位置決めアームｂ１、ｂ２を同一形状とすると、その噛合は上下にずれるため、噛合の中心部から、位置決めピンまでの距離が左右非対称となる。従って、ディスクの位置決めを行う他の部材の配置等もそのずれを配慮して行わなければならないこととなり、大変面倒である。
【０００６】
本発明は、このような従来技術の問題点を解決し、同形状の位置決め部材を用いることにより部品のコストを低く抑えることを可能にするディスク再生装置を提供することを目的とする。
【０００７】
【課題を解決するための手段】
上記課題を解決するため、請求項１記載の発明は、筐体内に挿入されたディスクの位置決めを左右一対の回動自在な位置決め部材を用いて行うディスク再生装置において、
前記左右一対の位置決め部材は、各々、
一端に、歯車部を備えるとともに、他端に、ディスクの縁部と当接する当接部を備えた同一形状のものからなり、
一方の前記位置決め部材を上下逆にして、前記歯車部同士を噛合させた状態で対称配置され、
前記歯車部は、歯形のピッチが０．５ずれることにより、前記歯車部同士を噛合させた際のずれを調整する調整部を備えていることを特徴とする。
【０００８】
請求項２記載の発明は、請求項１記載のディスク再生装置において、前記調整部は、他の歯形間のピッチの１．５倍のピッチをもつ調整歯形部を備えていることを特徴とする。
【０００９】
【発明の実施の形態】
以下、本発明に係るディスク再生装置の実施の形態について図面を用いて説明する。
【００１０】
図１（ａ）、（ｂ）に示す本発明の一例であるディスク再生装置１０は、シャシ１１と、シャシの上面の中央付近に設けられたターンテーブル１２と、このターンテーブル１２にディスクＤが装着されるように位置決めする位置決め機構部２０と、図示しないＣＤ、ＭＤ等の光ディスクに記録されているデータを読み取って再生する再生部とを備え、これら位置決め機構部２０、再生部は、本体ケース（筐体）内に配置される。
【００１１】
シャシ１１は、例えば、金属製の板体からなり、一方の長端部の真下にディスクの挿入口Ｅが設けられ、ディスクＤは、シャシ１１と平行する面において挿入される。また、挿入口Ｅの近傍には、ディスクＤを内部に誘導するためのディスクガイド１３が備えられている。
【００１２】
このディスクガイド１３は、略コ字状に形成された部材からなる。そして、ディスクガイド１３には、図１（ｂ）に示すように、ディスクＤの下面に当接し、ディスクＤをターンテーブル１２の方へ移送する移送ローラ１４と、この移送ローラ１４によって移送されるディスクＤの上面を支持する基板１５とが設けられている。また、移送ローラには、バネ１６の一端が固定され、このバネ１６の他端は、シャシ１１側の部材（図１（ｂ）中に図示なし）に固定される。そして、ディスクＤを内部へ移送する場合には、ディスクＤは、バネ１６によって付勢されたディスクガイド１３と、基板１５とによって挟持され、移送ローラ１４により内部に引き込まれる。また、ディスクＤが、ターンテーブル１２上に位置決めされ、再生されると、図示しない駆動機構により、ディスクガイド１３、移送ローラ１４、基板１５はディスクＤから離れる構造となっている。
【００１３】
位置決め機構部２０は、図１〜図６に示すように、挿入口Ｅから挿入されるディスクの径を検知するディスク径検知アーム２１と、ディスクの上側に配置される天板２２と、大径、小径のディスクの位置決めを行う位置決めアーム２３、２４（位置決め部材）と、位置決めアーム２３の動作を規制するロックアーム２５とから概略構成される。
【００１４】
ディスク径検知アーム２１は、クランク状に形成されており、その中央部に設けられた軸部２１ａを中心に基板１５に対して平行に回動可能に取り付けられている。また、軸部２１ａの近傍は凸部面２１ｂが形成されており、大径ディスクＤ１の位置決め完了時に、大径ディスクＤ１の縁部に当接するようになっている。
【００１５】
また、ディスク径検知アーム２１の挿入口Ｅ側の端部には、下方に突出した突出ピン２１ｃの一端が固定されている。この突出ピン２１ｃの他端は、天板１５に設けられた溝１５ａを貫通しており、この溝１５ａに沿って突出ピン２１ｃが摺動可能となっている。一方、ディスク径検知アーム２１の他端の外面２１ｄは、バネ２６によってシャシ１１に固定されており、ディスク径検知アーム２１が図１において反時計回りに回動するとシャシ１１に設けられた回動ストッパー２７に当接するようになっている。また、ディスク径検知アーム２１が図１において時計回りに回動すると、ディスク径検知アーム２１の他端の内面２１ｅは、ロックアーム２５と当接するようになっている。
【００１６】
そして、挿入口Ｅから挿入され、ディスクガイド１３によって内部へ移送される大径ディスクＤ１の縁部が、突出ピン２１ｃに当接すると、ディスク径検知アーム２１は、軸部２１ａを中心に時計回りに回動する。その場合に、突出ピン２１ｃは、溝部１５ａに沿って外側に摺動し、突出ピン２１ｃの他端の外面２１ｄでは、バネ２６が伸び、内面２１ｅは、ロックアーム２５に対して内側の力を加える。
【００１７】
天板２２は、例えば、金属板からなり、挿入されるディスクの上方に位置し、シャシ１１に対して略平行に配設される。また、天板２２は、ターンテーブル１２に対応する位置にディスクを上面から支持する上面支持部材２２ａが取り付けられている。また、天板２２には、位置決めアーム２３、２４を摺動可能にするための溝部２２ｂ、２２ｃが設けられている。
【００１８】
位置決めアーム２３、２４は、同一の形状のものであり、位置決めアーム２３、２４は、一方の位置決めアーム２３を上下逆にして、左右対称に配置されている。位置決めアーム２３、２４の一端には、ストッパピン２３ａ、２４ａの一端が固定され、ストッパピン２３ａ、２４ａ（当接部）の他端は、天板２２の溝部２２ｂ、２２ｃを摺動可能に貫通した状態となっている。即ち、このストッパピン２３ａ、２４ａは、図１〜図６に示すように溝部２２ｂ、２２ｃを貫通して下方に突出しており、溝部２２ｂ、２２ｃの最も挿入口Ｅの近くに位置している状態（図６）において、小径ディスクＤ２の縁部に当接して位置決めし、また溝部２２ｂ、２２ｃを摺動して最も挿入口Ｅから離れて位置している状態（図４）において、大径ディスクＤ１の縁部に当接して位置決めするようになっている。
【００１９】
一方、図１、２に示すように、位置決めアーム２３、２４の他端には歯車部２３ｂ、２４ｂ（歯車部）が形成され、位置決めアーム２３の歯車部２３ｂと位置決めアーム２４の歯車部２４ｂとが噛合している。この歯車部２３ｂ、２４ｂには、歯形が形成されているが、その一部分の歯形間２３ｃ、２４ｃ（調整部、調整歯形部）は、それ以外の歯形部分２３ｄ、２４ｄのピッチ（１Ｐ）よりも約１．５倍のピッチ（１．５Ｐ）に形成されている。従って、大径ディスクＤ１を位置決めするために、前記ストッパピン２３ａ、２４ａが溝部２２ｂ、２２ｃの上部まで摺動し、位置決めアーム２３、２４が、それぞれの歯車部２３ｂ、２４ｃにおいて噛合すると、位置決めアーム２３と、位置決めアーム２４の０．５ピッチ分のずれが、１．５ピッチの歯形間２３ｃ、２４ｃによって吸収されるため、位置決めアーム２３、２４は、何れか一方が上下にずれることなく、左右対称の動作を行う。従って、位置決めアーム２３、２４の噛合の中心部Ｃからストッパピン２３ａ、２４ａまでが等距離となるので、大径ディスクＤ１は、左右対称に位置決めされる。
【００２０】
ロックアーム２５は、位置決めアーム２３、２４の動作を規制する部材であって、軸部２５ａを中心に、位置決めアーム２３に重なるように回動可能に天板２２に固定されている。ロックアーム２５は、略Ｙ字状の溝部２５ｂを形成している。通常、この溝部２５ｂは、溝部２２ｂの挿入口Ｅ側の一部分のみに重なるようになっており、前記ストッパピン２３ａの動作を規制するようになっている。一方、このロックアーム２５は、更にディスク径検知アーム２１のバネ固定された端部の内面２１ｅとの当接面２５ｃを、軸部２５ａの近傍に形成している。そして、ディスク径検知アーム２１の内面２１ｅが当接面２５ｃと当接して、当接面２５ｃが中心部Ｃ方向に力をうけると、ロックアーム２５が軸部２５ａを中心にして時計回りに回動するようになっている。すると、溝部２５ｂの一部と、溝部２２ｂが重なり、これによって規制されていた、位置決めアーム２３のストッパピン２３ａが摺動可能となる。尚、位置決めアーム２３はロックアーム２５の溝部２５ｂによって、また、位置決めアーム２４はロックアーム２５に固定されたバネ２８の付勢によって、それぞれ溝部２２ｂ、２２ｃの挿入口Ｅ側端部にストッパピン２３ａ、２４ａが位置する状態を平常時としている。
【００２１】
次に、位置決め部２０を備えるディスク再生装置１０において、大径ディスク（例えば、直径１２センチのディスク）Ｄ１、小径ディスク（例えば、直径８センチのディスク）Ｄ２を挿入し、位置決めを行う場合の動作について図３〜図６に基づいて説明する。
【００２２】
まず、大径ディスクＤ１を挿入して位置決めする場合について、図３〜図５を用いて説明する。
大径ディスクＤ１を、シャシ１１と平行にした状態で挿入口Ｅに挿入すると、大径ディスクＤ１は、ディスクガイド１３の図示しないディスク搬送機構により、移送ローラ１４を介して内部に引き込まれていく。これにより大径ディスクＤ１の縁部は、図３（ａ）に示すようにディスク径検知アーム２１の突出ピン２１ｃに当接して、突出ピン２１ｃを溝部１５ａの外側に押していく。すると、ディスク径検知アーム２１は、軸部２１ａを中心にして時計回りに回動する。この回動によりディスク径検知アーム２１の自由端の外面２１ｄに固定されたバネ２６が伸び、ディスク径検知アーム２１は回動ストッパー２７から離れるとともに内面２１ｅが、ロックアーム２５の当接面２５ｃと当接して押す。
【００２３】
ディスク径検知アーム２１によって当接面２５ｃが中心部Ｃ方向に力をうけると、ロックアーム２５は、軸部２５ａを中心にして、時計回りに回動し、それによって溝部２５ｂの位置がずれ、溝部２５ｂの一部と天板２２の溝部２２ｂとが重なった状態となる。また、内部に移送された大径ディスクＤ１は、その縁部が、位置決めアーム２３、２４のそれぞれのストッパピン２３ａ、２４ａに当接する。そして、大径ディスクＤ１は、ロック状態から解除された位置決めアーム２３のストッパピン２３ａを溝部２２ｂに沿って挿入口Ｅと反対側に移動させ、同時に位置決めアーム２４のストッパピン２４ａを、バネ２８を伸ばしながら溝部２２ｃに沿って挿入口Ｅと反対側に移動させる。すると、位置決めアーム２３、２４の歯車部２３ｂ、２４ｂは、図４（ａ）に示すように、位置決めアーム２３、２４が左右対称に移動するように噛合し、中心部分Ｃからストッパピン２３ａ、２４ａまでが等距離となる。即ち、図５に示すように、同一形状の歯車の噛合によるずれが、１．５ピッチで形成された歯形間２３ｃ、２４ｄによって調整されるため、位置決めアーム２３、２４の何れかが前後方向にずれることない。そして、大径ディスクＤ１は、ターンテーブル１２上にセンタリングされた状態で停止する。この時、大径ディスクＤ１の縁部は、ストッパピン２３ａ、２４ａ、ディスク径検知アーム２１の軸部２１ａの近傍の凸面部２１ｂの３点に当接する。
【００２４】
次に、小径ディスクＤ２を挿入して位置決めする場合について、図６を用いて、説明する。
小径ディスクＤ２を挿入口Ｅに挿入すると、大径ディスクＤ１と同様にしてディスクガイド１３の搬送機構によって移送ローラ１４を介して内部に引き込まれるが、ディスク径検知アーム２１の突出ピン２１ｃに当接することなく、位置決めアーム２３、２４のストッパピン２３ａ、２４ａに当接し、これにより図６に示すようにターンテーブル１２上にセンタリングされた状態で停止する。この場合、ロックアーム２５は、ディスク径検知アーム２１との当接がないことにより、位置決めアーム２３、２４の動作を規制した状態のままであるので、ストッパピン２３ａ、２４ａは、溝部２２ｂ、２２ｃの挿入口Ｅ側端部に位置している。
【００２５】
このように、本実施の形態に係るディスク再生装置１０によれば、同一形状の位置決めアーム２３、２４の歯車部２３ｂ、２４ｂには、一部分の歯形間２３ｃ、２４ｃが、それ以外の歯形間のピッチ（１Ｐ）よりも１．５倍のピッチ（１．５Ｐ）に形成されているので、同一形状の歯形が噛合う場合に生じるずれを調整することができる。従って、同一形状の部材を用いながら左右対称にディスクを支持することができる。したがって、同じ金型により位置決めアーム２３、２４を製造することができるのでコストを抑えることが出来る。
【００２６】
尚、上記実施の形態は、一例に過ぎず、適宜変更可能である。例えば、本実施例において、位置決めアーム２３、２４は、その噛合中心部分に１．５倍のピッチの歯形間２３ｃ、２４ｃを形成しているが、０．５ピッチずらして噛合のずれを調整できれば、１．５倍のピッチに限定されるものではない。また、上記歯形間２３ｃ、２４ｃは、位置決めアーム２３、２４が互いに噛合する中央部分に形成する必要はなく、歯車部２３ｂ、２４ｂが噛合する部分の何処に形成されていてもよい。同一形状の位置決めアーム２３、２４を上下方向を逆にして点対称に噛合させれば同様の機能を果たすことができる。
【００２７】
【発明の効果】
本発明によれば、その一端に噛合のずれを調整する調整部を備え、他端にディスクの縁部と当接する当接部を備えた位置決め部材を上下逆にして歯車を噛合させることにより、同一形状の位置決め部材を用いることが可能となり、製造におけるコストダウンを実現する。
【図面の簡単な説明】
【図１】（ａ）は、本発明に係るディスク位置決め機構を適用したディスク再生装置の主要部を概略的に示した透視図（ａ）であり、（ｂ）は、（ａ）の側面図である。
【図２】（ａ）は、図１に示す位置決めアームの平面図であり、（ｂ）は、（ａ）の側面図である。
【図３】（ａ）は、上記ディスク再生装置に大径ディスクを挿入したときの位置決め機構の動作を説明するための図であり、（ｂ）は、（ａ）の側面図である。
【図４】（ａ）は、上記ディスク再生装置に大径ディスクを位置決めした状態を示す図であり、（ｂ）は、（ａ）の側面図である。
【図５】図４（ａ）の位置決めアームの噛合状態を説明するための拡大図である。
【図６】（ａ）は、上記ディスク再生装置に小径ディスクを位置決めした状態を示す図であり、（ｂ）は、（ａ）の側面図である。
【図７】従来例におけるディスク位置決め機構を示す図で、（ａ）はリンク機構の位置決めアームを概略的に示した図であり、（ｂ）はギア歯機構の位置決めアームを概略的に示した図である。
【符号の説明】
１０  ディスク再生装置
１１  シャシ
２０  位置決め機構部
２３  位置決めアーム（位置決め部材）
２３ａ  ストッパピン（当接部）
２３ｂ  歯車部（歯車部）
２３ｃ  １．５ピッチの歯形間（調整部、調整歯形部）
２４  位置決めアーム（位置決め部材）
２４ａ  ストッパピン（当接部）
２４ｂ  歯車部（歯車部）
２４ｃ  １．５ピッチの歯形間（調整部、調整歯形部）
【図１】
0003731088.tif 000002
【図２】
0003731088.tif 000003
【図３】
0003731088.tif 000004
【図４】
0003731088.tif 000005
【図５】
0003731088.tif 000006
【図６】
0003731088.tif 000007
【図７】
0003731088.tif 000008